(57)【要約】【課題】商品の流通経路全体における二酸化炭素の排出を抑制する活動を実現し、環境保全に貢献することができる商品販売処理装置およびプログラムを提供する。【解決手段】商品の販売処理が実行された場合に、本部システム１０２を介して、データベース１０３から、販売処理を実行した商品のコード５０２と対応付けられた二酸化炭素の排出量５０４を取得する取得手段６０１と、販売処理を実行した商品の二酸化炭素の排出量５０４を報知する報知手段６０３と、を備えることにより、より環境に優しい商品を提供する意識など環境保全に関わる活動への共鳴を、小売側が顧客側に促すことができるので、商品の流通経路全体における二酸化炭素の排出を抑制する活動を実現し、環境保全に貢献することができる。【選択図】図６
2011081562.tif 000002
【特許請求の範囲】
【請求項１】
商品の販売処理を実行する商品販売処理装置であって、
前記販売処理を実行した商品の原材料調達から廃棄またはリサイクルまでの全過程における二酸化炭素の排出量を取得する取得手段と、
前記取得手段により取得した前記二酸化炭素の排出量を報知する報知手段と、
を備えたことを特徴とする商品販売処理装置。
【請求項２】
前記販売処理を実行した商品の前記二酸化炭素の排出量の合計を算出する算出手段と、
前記報知手段は、前記販売処理を実行した商品の前記二酸化炭素の排出量および前記算出手段により算出した合計をレシートに印字して前記二酸化炭素の排出量を報知することを特徴とする請求項１に記載の商品販売処理装置。
【請求項３】
前記取得手段により取得した前記二酸化炭素の排出量に応じた環境保全に関わる特典を付与する付与手段をさらに備えたことを特徴とする請求項１または２に記載の商品販売処理装置。
【請求項４】
前記付与手段は、前記環境保全に関わる特典として、顧客が所有しているポイントカードに記録されたポイントを付与することを特徴とする請求項３に記載の商品販売処理装置。
【請求項５】
商品の販売処理を実行する商品販売処理装置を制御するコンピュータを、
前記販売処理を実行した商品の原材料調達から廃棄またはリサイクルまでの全過程における二酸化炭素の排出量を取得する取得手段と、
前記取得手段により取得した前記二酸化炭素の排出量を報知する報知手段と、
として機能させるためのプログラム。
【請求項６】
前記コンピュータを、
前記販売処理を実行した商品の前記二酸化炭素の排出量の合計を算出する算出手段として機能させ、
前記報知手段は、前記販売処理を実行した商品の前記二酸化炭素の排出量および前記算出手段により算出した合計をレシートに印字して前記二酸化炭素の排出量を報知することを特徴とする請求項５に記載のプログラム。
【発明の詳細な説明】
【技術分野】
【０００１】
本発明は、商品販売処理装置およびプログラムに関する。
【背景技術】
【０００２】
地球温暖化が問題となっている現在、社会全体におけるカーボンオフセットによる環境保全が注目され、その活動が行われている。例えば、商品を製造する製造者側および商品を購入する顧客側の双方において環境保全に対する意識が高まる今、商品の製造における二酸化炭素の排出量を表示・統計することで、環境保全への意識を高めかつ二酸化炭素の排出量の抑制につなげることが可能になる。また、消費者がエコバックを使用することでレジ袋を使用しなかった場合に、レジ袋を使用しなかったことによる二酸化炭素の排出量に相当する特典を消費者に与える仕組みもある（例えば、特許文献１参照）。
【発明の概要】
【発明が解決しようとする課題】
【０００３】
ところで、カーボンフットプリントにより商品の原材料調達から廃棄またはリサイクルまでの全過程において排出される二酸化炭素の排出量を表示された商品が増える今、商品の販売や在庫管理などを行うＰＯＳ（Point  Of  Sales）システムを活用して、環境保全のキャンペーンや商品の二酸化炭素の排出量の統計などを行うことにより、製造者側の環境保全に対する意識の高まりに乗じて、小売側においてもエコ商品に関わるキャンペーンを展開するなど環境保全に対する意識を高めることが求められている。
【０００４】
本発明は、上記に鑑みてなされたものであって、商品の流通経路全体における二酸化炭素の排出を抑制する活動を実現し、環境保全に貢献することができる商品販売処理装置およびプログラムを提供することを目的とする。
【課題を解決するための手段】
【０００５】
上述した課題を解決し、目的を達成するために、本発明は、商品の販売処理を実行する商品販売処理装置であって、前記販売処理を実行した商品の原材料調達から廃棄またはリサイクルまでの全過程における二酸化炭素の排出量を取得する取得手段と、前記取得手段により取得した前記二酸化炭素の排出量を報知する報知手段と、を備えたことを特徴とする。
【０００６】
また、本発明は、商品の販売処理を実行する商品販売処理装置を制御するコンピュータを、前記販売処理を実行した商品の原材料調達から廃棄またはリサイクルまでの全過程における二酸化炭素の排出量を取得する取得手段と、前記取得手段により取得した前記二酸化炭素の排出量を報知する報知手段と、として機能させる。
【発明の効果】
【０００７】
本発明にかかる商品販売処理装置およびプログラムは、商品の流通経路全体における二酸化炭素の排出を抑制する活動を実現し、環境保全に貢献することができる、という効果を奏する。
【図面の簡単な説明】
【０００８】
【図１】図１は、ＰＯＳシステムの全体構成を概略的に示すシステム構成図である。
【図２】図２は、ＰＯＳ端末として機能する店舗システムを正面側から見た外観形態を示す斜視図である。
【図３】図３は、店舗システムの電気的接続を示すブロック図である。
【図４】図４は、本部システムの電気的接続を示すブロック図である。
【図５】図５は、データベースに格納され、各店舗システムが本部システムを介してアクセス可能な商品ファイルのファイル構造を示す模式図である。
【図６】図６は、本実施の形態にかかる店舗システムのモジュール構成を示すブロック図である。
【図７】図７は、販売処理を実行した商品の二酸化炭素の排出量を報知する処理の流れを示すフローチャートである。
【発明を実施するための形態】
【０００９】
以下に添付図面を参照して、この発明にかかる商品販売処理装置およびプログラムの実施の一形態を詳細に説明する。
【００１０】
本発明の実施の一形態を図１〜７に基づいて説明する。本実施の形態は、商品の販売および在庫管理などを行うＰＯＳ（Point  Of  Sales）システムが有するＰＯＳ端末に、この発明にかかる商品販売処理装置およびプログラムを適用した例である。
【００１１】
図１は、ＰＯＳシステムの全体構成を概略的に示すシステム構成図である。図１に示すＰＯＳシステム１は、顧客に対する商品の販売処理を実行するＰＯＳ端末としての店舗システム１０１と、商品の在庫管理やＰＯＳシステム１全体の制御などを行うサーバとしての本部システム１０２と、商品の販売処理や在庫管理などに関わる各種情報を記憶するデータベース１０３と、を備えている。
【００１２】
図２は、ＰＯＳ端末として機能する店舗システムを正面側から見た外観形態を示す斜視図である。店舗システム１０１は、本体部１１０の上面に表示デバイスとして液晶ディスプレイ１１１が載置されて構成されている。液晶ディスプレイ１１１には、その表面上に入力デバイスとしてのタッチパネル１１２が積層配置されている。また、店舗システム１０１は、本体部１１０の近傍に、レシートや伝票発行用のプリンタ１１３が隣接配置されており、例えばＵＳＢ（Universal  Serial  Bus）等のインターフェースを介して本体部１１０に接続されている。さらに、店舗システム１０１は、プリンタ１１３に加えて、本体部１１０に客面表示装置１０７が接続されている。客面表示装置１０７は、一例として、７セグメント表示をするＬＥＤ（Light  Emitting  Diode）表示装置であり、店舗システム１０１の本体部１１０の上面に載置されて設置されている。客面表示装置１０７も、プリンタ１１３と同様に、ＵＳＢ等のインターフェースを介して本体部１１０に接続されている。
【００１３】
なお、店舗システム１０１には、顧客が所有するポイントカードに記録されたポイントを書き換えるカードリライト端末（図示しない）が、例えばＵＳＢ等のインターフェースを介して、本体部１１０に接続されているものとする。ここで、ポイントカードに記録されたポイントは、例えば、顧客が購入した商品の金額等に応じて加算されるポイントを示すものである。
【００１４】
図１に戻り、本部システム１０２は、小型の液晶ディスプレイ３０９およびキーボード３１０（図４参照）を備えており、各店舗システム１０１から受信した各種の情報の管理や各店舗システム１０１への各種の情報の送信等を実行する。
【００１５】
データベース１０３は、本部システム１０２が各店舗システム１０１から受信した各種の情報や各店舗システム１０１へ送信するための各種の情報等を記憶する。
【００１６】
図３は、店舗システムの電気的接続を示すブロック図である。図３に示すように、店舗システム１０１には、マイクロコンピュータ２０１が備えられており、このマイクロコンピュータ２０１が各部を駆動制御する。マイクロコンピュータ２０１は、各部を集中的に制御するＣＰＵ（Central  Processing  Unit）２０２、バスライン２０３を介して制御プログラム等の固定的情報を予め記憶するＲＯＭ（Read  Only  Memory）２０４、各種情報を書き換え自在に記憶してワークエリア等として機能するＲＡＭ（Random  Access  Memory）２０５とが接続されている。したがって、マイクロコンピュータ２０１は、情報処理を実行する情報処理部を構成する。
【００１７】
また、マイクロコンピュータ２０１は、バスライン２０３を介して、タッチパネルコントローラ２０６、表示コントローラ２０７、ＨＤＤ（Hard  Disk  Drive）２０８、インターフェース２０９、および通信インターフェース２１０が接続されている。タッチパネルコントローラ２０６は、タッチパネル１１２からの入力信号をマイクロコンピュータ２０１に取り込む。表示コントローラ２０７は、画像データに基づいて液晶ディスプレイ１１１を駆動制御し、画像データに応じた画像を液晶ディスプレイ１１１に表示させる。インターフェース２０９は、プリンタ１１３や客面表示装置１０７やカードリライト端末（図示しない）等をマイクロコンピュータ２０１に接続するためのインターフェースであり、前述したように、ＵＳＢ等によって構成されている。通信インターフェース２１０は、マイクロコンピュータ２０１をＬＡＮ（Local  Area  Network）経由で他の機器とデータ通信可能にするためのインターフェースである。
【００１８】
ＨＤＤ２０８には、ＯＳ（Operating  System）、コンピュータプログラム、各種ファイル等がインストールされている。これらのＯＳ、コンピュータプログラム、各種ファイル等は、店舗システム１０１の起動時にその全部又は一部がＲＡＭ２０５にコピーされてＣＰＵ２０２にアクセスされる。ＣＰＵ２０２は、こうしてコピーされたＯＳおよびコンピュータプログラムに従った処理を実行する。
【００１９】
図４は、本部システムの電気的接続を示すブロック図である。図４に示すように、本部システム１０２には、マイクロコンピュータ３０１が備えられており、このマイクロコンピュータ３０１が各部を駆動制御する。マイクロコンピュータ３０１は、各部を集中的に制御するＣＰＵ３０２に、バスライン３０３を介して制御プログラム等の固定的情報を予め記憶するＲＯＭ３０４と、各種情報を書き換え自在に記憶してワークエリア等として機能するＲＡＭ３０５とが接続されている。したがって、マイクロコンピュータ３０１は、情報処理を実行する情報処理部を構成する。
【００２０】
マイクロコンピュータ３０１には、バスライン３０３を介して、表示／キーボードコントローラ３０６とＨＤＤ３０７と通信インターフェース３０８とが接続されている。表示／キーボードコントローラ３０６は、画像データに基づいて液晶ディスプレイ３０９を駆動制御することで当該画像データに応じた画像を液晶ディスプレイ３０９に表示させ、またキーボード３１０からの入力信号をマイクロコンピュータ３０１に取り込む。通信インターフェース３０８は、マイクロコンピュータ３０１をＬＡＮ経由で他の機器とデータ通信可能にするためのインターフェースである。
【００２１】
ＨＤＤ３０７には、ＯＳ、コンピュータプログラム、各種ファイル等がインストールされている。これらのＯＳ、コンピュータプログラム、各種ファイル等は、本部システム１０２の起動時にその全部または一部がＲＡＭ３０５にコピーされてＣＰＵ３０２にアクセスされる。ＣＰＵ３０２は、こうしてコピーされたＯＳおよびコンピュータプログラムに従った処理を実行する。
【００２２】
図５は、データベースに格納され、各店舗システムが本部システムを介してアクセス可能な商品ファイルのファイル構造を示す模式図である。商品ファイル５０１は、２桁のコード５０２に対応させて、商品名５０３、排出量５０４、およびポイント５０５というレコードを登録している。コード５０２には、一例として、
０１：洗剤Ａ
０２：洗剤Ｂ
０３：洗剤Ｃ
など、店舗システム１０１が設置された各店舗において販売する商品のコードが登録されている。商品名５０３には、コード５０２に登録されているコードで定義される商品名が登録されている。排出量５０４には、コード５０２に登録されているコードで定義される商品の原材料の調達、生産、使用、および廃棄またはリサイクルまでの全過程における二酸化炭素の排出量である。
【００２３】
ポイント５０５は、コード５０２に登録されているコードで定義される商品の二酸化炭素の排出量に応じた環境保全に関わる特典として付与されるものであって、ポイントカードに記録されたポイントに加算するポイントである。より具体的には、ポイント５０５は、商品の二酸化炭素の排出量に応じて付与されるものであって、二酸化炭素の排出量が少ない商品（エコ商品）ほど、付与するポイントは多くなるものとする。本実施の形態では、洗剤Ｃの二酸化炭素の排出量（２０ｇ）を基準にして、洗剤Ｃを購入した顧客のポイントカードに加算されるポイントが０ｐｔである。また、洗剤Ｂの二酸化炭素の排出量（１０ｇ）は、洗剤Ｃの二酸化炭素は排出量（２０ｇ）よりも少ないため、洗剤Ｂを購入した顧客のポイントカードに加算されるポイントは５ｐｔである。また、洗剤Ａの二酸化炭素の排出量（５ｇ）は、洗剤Ｂの二酸化炭素の排出量（１０ｇ）よりも少ないため、洗剤Ａを購入したポイントカードに加算されるポイントは１０ｐｔである。
【００２４】
なお、本実施の形態では、商品の二酸化炭素の排出量に応じた環境保全に関わる特典として、ポイントカードに記録されたポイントの加算を行うが、これに限定するものではない。例えば、商品の二酸化炭素の排出量に応じた環境保全に関わる特典として、二酸化炭素の排出量が少ない商品（エコ商品）ほど、高額の募金活動を行っても良い。
【００２５】
これにより、二酸化炭素の排出量が少ないより環境に優しい商品を顧客が購入した場合に、環境保全に関わる特典を顧客に付与することにより、顧客がより環境に優しい商品を購入するようになるので、さらに二酸化炭素の排出が抑制されてカーボンオフセットに活用することができる。
【００２６】
次いで、図６を用いて、店舗システム１０１のＨＤＤ２０８にインストールされたＯＳおよびコンピュータプログラムによりマイクロコンピュータ２０１が実行する処理の内、本実施の形態の店舗システム１０１が有している特徴的な処理について説明する。図６は、本実施の形態にかかる店舗システムのモジュール構成を示すブロック図である。
【００２７】
本実施の形態にかかる店舗システム１０１で実行されるコンピュータプログラムは、図６に示すような各手段（取得手段６０１、算出手段６０２、報知手段６０３、付与手段６０４など）を含むモジュール構成となっており、実際のハードウェアとしてはマイクロコンピュータ２０１のＣＰＵ２０２がＨＤＤ２０８からコンピュータプログラムを読み出して実行することにより上記各手段がＲＡＭ２０５上にロードされ、取得手段６０１、算出手段６０２、報知手段６０３、付与手段６０４などがＲＡＭ２０５上に生成されるようになっている。
【００２８】
取得手段６０１は、商品の販売処理が実行された場合に、本部システム１０２を介して、データベース１０３から、販売処理を実行した商品のコード５０２と対応付けられた二酸化炭素の排出量５０４およびポイント５０５を取得する。
【００２９】
算出手段６０２は、複数の商品の販売処理が実行された場合に、取得手段６０１により取得した販売処理を実行した商品の二酸化炭素の排出量５０４の合計を算出する。
【００３０】
報知手段６０３は、プリンタ１１３を制御して、取得手段６０１により取得した販売処理を実行した商品の二酸化炭素の排出量５０４および算出手段６０２により算出した合計をレシートに印刷することにより、当該販売処理を実行した商品の二酸化炭素の排出量５０４および算出手段６０２により算出した合計を報知する。これにより、顧客の環境保全に対する意識を高めることができる。
【００３１】
なお、本実施の形態では、販売処理を実行した商品の二酸化炭素の排出量５０４および算出手段６０２により算出した合計をレシートに印刷することにより、当該販売処理を実行した商品の二酸化炭素の排出量５０４および算出手段６０２により算出した合計を報知しているが、これに限定するものではない。例えば、報知手段６０３は、表示コントローラ２０７を介して、販売処理を実行した商品の二酸化炭素の排出量５０４および算出手段６０２により算出した合計を液晶ディスプレイ１１１に表示しても良い。
【００３２】
付与手段６０４は、図示しないカードリライト端末を制御して、取得手段６０１により取得したポイント５０５を、当該カードリライト端末に挿入されたポイントカードに記録されたポイントに加算する。これにより、販売処理を実行した商品の二酸化炭素の排出量に応じた環境保全に関わる特典として、当該取得手段６０１により取得したポイント５０５を付与する。なお、本実施の形態では、付与手段６０４は、取得手段６０１により取得したポイント５０５をポイントカードに記録されたポイントに加算しているが、これに限定するものではなく、販売処理を実行した商品の二酸化炭素の排出量を、ポイントに換算し、換算したポイントをポイントカードに記録されたポイントに加算しても良い。例えば、よりエコロジーな商品の販売処理を実行した場合に、付与手段６０４は、高いポイントに換算して、換算したポイントをポイントカードに記録されたポイントに加算する。
【００３３】
なお、本実施の形態では、上述したように、販売処理を実行した商品の二酸化炭素の排出量に応じた環境保全に関わる特典として、ポイントカードに記録されたポイントを付与しているが、これに限定するものではなく、当該販売処理を実行した商品の二酸化炭素の排出量に応じた募金を行っても良い。
【００３４】
次に、図７を用いて、販売処理を実行した商品の二酸化炭素の排出量を報知する処理の流れについて説明する。図７は、販売処理を実行した商品の二酸化炭素の排出量を報知する処理の流れを示すフローチャートである。
【００３５】
取得手段６０１は、販売処理の実行を待つ（ステップＳ７０１：Ｎｏ）。そして、販売処理が実行されると（ステップＳ７０１：Ｙｅｓ）、取得手段６０１は、本部システム１０２を介して、データベース１０３から、販売処理を実行した商品のコード５０２と対応付けられた二酸化炭素の排出量５０４およびポイント５０５を取得する（ステップＳ７０２）。さらに、算出手段６０２が、取得手段６０１が取得した各商品の二酸化炭素の排出量５０４の合計を算出する（ステップＳ７０３）。
【００３６】
次に、報知手段６０３は、プリンタ１１３を制御して、取得手段６０１により取得した各商品の二酸化炭素の排出量５０４および算出手段６０２により算出した合計を、レシートに印刷する（ステップＳ７０４）。さらに、付与手段６０４は、図示しないカードリライト端末を制御して、取得手段６０１により取得したポイント５０５を、当該カードリライト端末に挿入されたポイントカードに記録されたポイントに加算する（ステップＳ７０５）。
【００３７】
なお、本実施の形態の店舗システム１０１で実行されるコンピュータプログラムは、ＨＤＤ２０８にインストールされて提供されるが、ＲＯＭ等に予め組み込んで提供することも可能である。
【００３８】
また、本実施の形態の店舗システム１０１で実行されるコンピュータプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００３９】
さらに、本実施の形態の店舗システム１０１で実行されるコンピュータプログラムを、インターネット等のネットワークに接続されたコンピュータ上に格納し、ネットワーク経由でダウンロードさせることにより提供するように構成しても良い。また、本実施の形態の店舗システム１０１で実行されるコンピュータプログラムをインターネット等のネットワーク経由で提供または配布するように構成しても良い。
【００４０】
このように本実施の形態にかかるＰＯＳシステム１によれば、商品の販売処理が実行された場合に、本部システム１０２を介して、データベース１０３から、販売処理を実行した商品のコード５０２と対応付けられた二酸化炭素の排出量５０４を取得する取得手段６０１と、販売処理を実行した商品の二酸化炭素の排出量５０４を報知する報知手段６０３と、を備えることにより、より環境に優しい商品を提供する意識など環境保全に関わる活動への共鳴を、小売側が顧客側に促すことができるので、商品の流通経路全体における二酸化炭素の排出を抑制する活動を実現し、環境保全に貢献することができる。
【符号の説明】
【００４１】
１０１  店舗システム
５０４  排出量
５０５  ポイント
６０１  取得手段
６０２  算出手段
６０３  報知手段
６０４  付与手段
【先行技術文献】
【特許文献】
【００４２】
【特許文献１】特開２００９−１１６８４３公報
【図１】
2011081562.tif 000003
【図２】
2011081562.tif 000004
【図３】
2011081562.tif 000005
【図４】
2011081562.tif 000006
【図５】
2011081562.tif 000007
【図６】
2011081562.tif 000008
【図７】
2011081562.tif 000009